(57)【要約】【課題】マスターホログラム原版を用いて新たな記録媒体を作製する場合に、極力ノイズを低減した状態で新たな記録媒体を作製し、新たな記録媒体に目的の干渉縞を正確に記録するとともに、新たな記録媒体の再生時に再生エラーが生じるのを回避する。【解決手段】作製するホログラム記録媒体３３の干渉縞の最大多重度Ｓよりも小さい最大多重度Ｍ１、Ｍ２のマスターホログラム原版３１・３２を用い、各マスターホログラム原版３１・３２を順次交換しながらそれぞれに対して可干渉性の光を照射することにより、作製するホログラム記録媒体３３に干渉縞を多重記録する。各マスターホログラム原版３１・３２は、最大多重度Ｓのマスターホログラム原版に比べて、隣り合う干渉縞とのノイズが元々少ない状態で干渉縞が記録されているので、各マスターホログラム原版３１・３２の個々に対して可干渉性の光を照射しても、これらから再生されるノイズ光は少ない。【選択図】図１
2007171266.tif 000002
【特許請求の範囲】
【請求項１】
干渉縞が記録されたマスターホログラム原版に可干渉性の光を照射することによって得られる再生光を用いて、同一箇所に複数の干渉縞が多重記録されたホログラム記録媒体を作製するホログラム記録媒体作製方法であって、
ｎを２以上の自然数とすると、
マスターホログラム原版をｎ枚用い、
各マスターホログラム原版の干渉縞の最大多重度をＭ１、Ｍ２、・・・Ｍｎ、作製するホログラム記録媒体の干渉縞の最大多重度をＳとすると、
Ｍ１＜Ｓ、Ｍ２＜Ｓ、・・・Ｍｎ＜Ｓ
となる最大多重度で干渉縞が記録された複数枚のマスターホログラム原版を順次交換しながらそれぞれに対して可干渉性の光を照射することにより、作製するホログラム記録媒体に干渉縞を多重記録することを特徴とするホログラム記録媒体作製方法。
【請求項２】
ｎは、２以上Ｓ以下の自然数であることを特徴とする請求項１に記載のホログラム記録媒体作製方法。
【請求項３】
同一のマスターホログラム原版で互いに異なる位置に記録されている複数の干渉縞は、波長が一定の可干渉性の光の照射により当該マスターホログラム原版に記録されていることを特徴とする請求項１または２に記載のホログラム記録媒体作製方法。
【請求項４】
同一のマスターホログラム原版で互いに異なる位置に記録されている複数の干渉縞は、入射角度が一定の可干渉性の光の照射により当該マスターホログラム原版に記録されていることを特徴とする請求項１から３のいずれかに記載のホログラム記録媒体作製方法。
【請求項５】
各マスターホログラム原版において、複数の干渉縞は、互いにオーバーラップせずに記録されていることを特徴とする請求項１から４のいずれかに記載のホログラム記録媒体作製方法。
【請求項６】
各マスターホログラム原版において、複数の干渉縞は、１つのページデータを記録した干渉縞スポットと隣り合う１つのページデータを記録した干渉縞スポットとの中心間距離が、そのスポット径以下となるよう記録されていることを特徴とする請求項１から４のいずれかに記載のホログラム記録媒体作製方法。
【請求項７】
各マスターホログラム原版において、複数の干渉縞は、一定の周期で記録されていることを特徴とする請求項６に記載のホログラム記録媒体作製方法。
【請求項８】
各マスターホログラム原版において、同一箇所に、可干渉性の光の入射角度が互いに異なる複数のページデータが記録されていることを特徴とする請求項１から３のいずれかに記載のホログラム記録媒体作製方法。
【請求項９】
各マスターホログラム原版への干渉縞の記録時に照射される可干渉性の光の入射角度は、各マスターホログラム原版間で異なっていることを特徴とする請求項１から５のいずれかに記載のホログラム記録媒体作製方法。
【請求項１０】
各マスターホログラム原版において、同一箇所に、可干渉性の光の波長が互いに異なる複数のページデータが記録されていることを特徴とする請求項１、２、４または５に記載のホログラム記録媒体作製方法。
【請求項１１】
各マスターホログラム原版への干渉縞の記録時に照射される可干渉性の光の波長は、各マスターホログラム原版間で異なっていることを特徴とする請求項１から５のいずれかに記載のホログラム記録媒体作製方法。
【請求項１２】
各マスターホログラム原版を交換するごとに、マスターホログラム原版を未記録のホログラム記録媒体と重ね合わせて近接配置し、
上記可干渉性の光としての参照光を上記マスターホログラム原版に照射することにより、上記マスターホログラム原版から記録情報を持つ情報光を上記再生光として再生し、上記情報光と上記参照光とを干渉させることにより、上記ホログラム記録媒体に干渉縞を記録することを特徴とする請求項１から１１のいずれかに記載のホログラム記録媒体作製方法。
【請求項１３】
各マスターホログラム原版を交換するごとに、マスターホログラム原版を未記録のホログラム記録媒体と重ね合わせて近接配置し、
上記可干渉性の光としての参照光を上記マスターホログラム原版に照射することにより、上記マスターホログラム原版から記録情報を持つ情報光と、上記参照光とは異なる参照光とを上記再生光として再生し、上記情報光と上記異なる参照光とを干渉させることにより、上記ホログラム記録媒体に干渉縞を記録することを特徴とする請求項１から１１のいずれかに記載のホログラム記録媒体作製方法。
【請求項１４】
上記可干渉性の光として、上記マスターホログラム原版への干渉縞の記録時と同じ波長の光を用いることを特徴とする請求項１２または１３に記載のホログラム記録媒体作製方法。
【請求項１５】
上記可干渉性の光として、上記マスターホログラム原版への干渉縞の記録時と同じ入射角度の光を用いることを特徴とする請求項１２から１４のいずれかに記載のホログラム記録媒体作製方法。
【請求項１６】
１枚のマスターホログラム原版に対して、その全面に可干渉性の光を一度だけ照射することを特徴とする請求項１２から１５のいずれかに記載のホログラム記録媒体作製方法。
【請求項１７】
１枚のマスターホログラム原版を複数の領域に分割し、各領域ごとに可干渉性の光を照射することを特徴とする請求項１２から１５のいずれかに記載のホログラム記録媒体作製方法。
【請求項１８】
マスターホログラム原版およびホログラム記録媒体を一体として、参照光に対して連続的に移動させながら上記ホログラム記録媒体に干渉縞を記録することを特徴とする請求項１７に記載のホログラム記録媒体作製方法。
【請求項１９】
マスターホログラム原版およびホログラム記録媒体は同心円状の形状であり、
上記両者を一体として、参照光に対して同心円の中心を回転中心として連続的に回転させながら上記ホログラム記録媒体に干渉縞を記録することを特徴とする請求項１８記載のホログラム記録媒体作製方法。
【請求項２０】
作製するホログラム記録媒体に複数の干渉縞を体積位相型のホログラムとして記録することを特徴とする請求項１から１９のいずれかに記載のホログラム記録媒体作製方法。
【請求項２１】
上記ホログラムの感光材料として、フォトポリマーを用いることを特徴とする請求項２０に記載のホログラム記録媒体作製方法。
【請求項２２】
請求項１から２１のいずれかに記載のホログラム記録媒体作製方法により、複数の干渉縞が多重記録されて作製されていることを特徴とするホログラム記録媒体。
【請求項２３】
請求項１から２１のいずれかに記載のホログラム記録媒体作製方法により、作製するホログラム記録媒体に複数の干渉縞を多重記録することを特徴とするホログラム記録媒体作製装置。
【発明の詳細な説明】
【技術分野】
【０００１】
本発明は、ホログラム光記録メモリーなどのホログラム記録媒体を作製するホログラム記録媒体作製方法と、その作製方法によって作製されたホログラム記録媒体と、そのホログラム記録媒体を作製するためのホログラム記録媒体作製装置とに関するものである。
【背景技術】
【０００２】
ホログラム記録媒体であるホログラム光記録メモリーは、デジタル情報を２次元化して１枚のページデータとしたイメージ情報（ページ情報）を持つレーザー光（情報光）と、他のレーザー光（参照光）とを干渉させ、その干渉縞を体積ホログラムとして記録媒体に書き込むことによって作製されるものである。一般的には、この干渉縞を各ページデータごとに順次記録することにより、１枚の記録メディアが作製される。つまり、ページデータの数だけ複数回ホログラムを記録することにより、１枚の記録メディアの全領域にホログラムが記録される。
【０００３】
近年では、このような記録メディアを複製する、すなわち、ある記録メディアに記録さされた記録情報と同一の記録情報を持つ記録メディア（ＲＯＭ）を作製する手法が提案されている。例えば、非特許文献１では、情報が記録された１枚の記録メディアをマスターホログラム原版とし、このマスターホログラム原版と対物レンズ等の光学系を介して対向する位置に未記録の記録媒体を配置し、マスターホログラム原版にレーザー光を照射したときに再生される光（情報光および参照光）を未記録媒体に照射することにより、未記録媒体に干渉縞を記録し、複製を行うようにしている。
【０００４】
【非特許文献１】H.Horimai et al., “Duplication Technology for Secured Read-Only Holographic Versatile Disk”, International Symposium on Optical Memory and Optical Data Storage, July 10-14, 2005, Hawaii, ISBN#1-55752-794-6
【発明の開示】
【発明が解決しようとする課題】
【０００５】
ところで、ホログラム記録媒体においては、その記録容量を高める観点から、レーザー光の多重露光により、複数の干渉縞を多重記録することが一般的に行われている。しかし、このようなホログラム記録媒体では、ある干渉縞の記録情報には、これと隣り合う干渉縞（または同一位置の干渉縞）とのノイズがどうしても含まれてしまう。
【０００６】
したがって、複数の干渉縞が多重記録されたホログラム記録媒体を１枚、マスターホログラム原版として用い、非特許文献１の手法で新たな記録媒体を作製しようとすると、マスターホログラム原版にレーザー光を照射したときに、マスターホログラム原版からは必要な光（記録情報を持つ光）の他に、上記ノイズに相当する光も多数発生する。そのため、そのようなノイズも併せて新たな記録媒体に記録されてしまう。その結果、新たな記録媒体に目的とした干渉縞を正確に記録できなかったり、新たな記録媒体の再生時に上記ノイズ光により再生エラーが生じやすいという問題が生ずる。
【０００７】
本発明は、上記の問題点を解決するためになされたものであって、その目的は、マスターホログラム原版を用いて新たな記録媒体を作製する場合でも、極力ノイズを低減した状態で新たな記録媒体を作製することができ、これによって、新たな記録媒体に目的の干渉縞を正確に記録できるとともに、新たな記録媒体の再生時に再生エラーが生じるのを回避できるホログラム記録媒体作製方法と、その作製方法によって作製されたホログラム記録媒体と、そのホログラム記録媒体を作製するホログラム記録媒体作製装置とを提供することにある。
【課題を解決するための手段】
【０００８】
本発明のホログラム記録媒体作製方法は、干渉縞が記録されたマスターホログラム原版に可干渉性の光を照射することによって得られる再生光を用いて、同一箇所に複数の干渉縞が多重記録されたホログラム記録媒体を作製するホログラム記録媒体作製方法であって、ｎを２以上の自然数とすると、マスターホログラム原版をｎ枚用い、各マスターホログラム原版の干渉縞の最大多重度をＭ１、Ｍ２、・・・Ｍｎ、作製するホログラム記録媒体の干渉縞の最大多重度をＳとすると、Ｍ１＜Ｓ、Ｍ２＜Ｓ、・・・Ｍｎ＜Ｓとなる最大多重度で干渉縞が記録された複数枚のマスターホログラム原版を順次交換しながらそれぞれに対して可干渉性の光を照射することにより、作製するホログラム記録媒体に干渉縞を多重記録することを特徴としている。
【０００９】
上記の作製方法では、マスターホログラム原版に可干渉性の光を照射することによって得られる再生光を用いて、作製するホログラム記録媒体に干渉縞が記録される。例えば、マスターホログラム原版に可干渉性の光として参照光を照射したときに、マスターホログラム原版から記録情報を持つ情報光が上記再生光として再生されると、この情報光と上記参照光とが干渉することにより、作製するホログラム記録媒体に干渉縞が記録される。また、マスターホログラム原版に可干渉性の光として参照光（第２の参照光）を照射することにより、記録情報を持つ情報光と上記参照光とは異なる参照光（第１の参照光）とが上記再生光として再生される場合には、上記情報光と上記異なる参照光とが干渉することにより、作製するホログラム記録媒体に干渉縞が記録される。
【００１０】
ここで、本発明においては、マスターホログラム原版を用いて新たなホログラム記録媒体を作製する際に、作製するホログラム記録媒体の最大多重度Ｓよりも少ない最大多重度Ｍ１、Ｍ２、・・・Ｍｎで干渉縞が記録されたマスターホログラム原版を複数枚（ｎ枚）用いる。そして、各マスターホログラム原版を順次交換しながらそれぞれに対して可干渉性の光を照射する。各マスターホログラム原版の最大多重度Ｍ１、Ｍ２、・・・Ｍｎは、作製するホログラム記録媒体の最大多重度Ｓよりも低いので、各マスターホログラム原版は、作製するホログラム記録媒体の最大多重度Ｓと同じ最大多重度のマスターホログラム原版に比べて、隣り合う干渉縞（または同一位置の干渉縞）とのノイズが元々少ない状態で干渉縞が記録されているものと言える。したがって、このような複数枚のマスターホログラム原版の個々に対して可干渉性の光を照射しても、各マスターホログラム原版から再生されるノイズ光は少ない。
【００１１】
よって、最大多重度がＭ１＜Ｓ、Ｍ２＜Ｓ、・・・Ｍｎ＜Ｓとなる複数枚のマスターホログラム原版を用い、各マスターホログラム原版を順次交換しながらそれぞれに対して可干渉性の光を照射して新たなホログラム記録媒体を作製することにより、新たなホログラム記録媒体において極力ノイズを低減した状態で同一箇所に複数の干渉縞を最大多重度Ｓで多重記録することができる。その結果、新たなホログラム記録媒体に目的の干渉縞を正確に記録することができるとともに、新たなホログラム記録媒体の再生時に再生エラーが生じるのを回避することができる。
【００１２】
ここで、本発明においては、ｎは、２以上Ｓ以下の自然数であることが望ましい。２枚以上Ｓ枚以下の範囲で用いるマスターホログラム原版の枚数を設定すれば、各マスターホログラム原版の最大多重度を低くして、再生されるノイズ光を確実に低減することができる。また、マスターホログラム原版の枚数を上記範囲で極力少なくすれば、その交換回数を減らすことができるので、新たなホログラム記録媒体を簡便に作製することができる。
【００１３】
また、本発明においては、同一のマスターホログラム原版で互いに異なる位置に記録されている複数の干渉縞は、波長が一定の可干渉性の光の照射により当該マスターホログラム原版に記録されていてもよい。
【００１４】
この場合、シフト多重方式、角度多重方式、波長多重方式のいずれの方式でマスターホログラム原版が作製されていても、例えば、光束径の広い可干渉性の光を上記一定の波長でマスターホログラム原版に照射することにより、マスターホログラム原版に記録された複数の干渉縞と同じ記録情報を持つ複数の干渉縞を一度にホログラム記録媒体に記録することができ、簡便にホログラム記録媒体を作製することができる。
【００１５】
また、本発明においては、同一のマスターホログラム原版で互いに異なる位置に記録されている複数の干渉縞は、入射角度が一定の可干渉性の光の照射により当該マスターホログラム原版に記録されていてもよい。
【００１６】
この場合、シフト多重方式、角度多重方式、波長多重方式のいずれの方式でマスターホログラム原版が作製されていても、例えば、光束径の広い可干渉性の光を上記一定の入射角度でマスターホログラム原版に照射することにより、マスターホログラム原版に記録された複数の干渉縞と同じ記録情報を持つ複数の干渉縞を一度にホログラム記録媒体に記録することができ、簡便にホログラム記録媒体を作製することができる。
【００１７】
また、本発明においては、各マスターホログラム原版において、複数の干渉縞は、互いにオーバーラップせずに記録されていてもよい。この場合、各マスターホログラム原版においては、同一箇所に複数の干渉縞が多重記録されていないので、各マスターホログラム原版から再生されるノイズ光をより一層確実に低減することができる。
【００１８】
また、本発明においては、各マスターホログラム原版において、複数の干渉縞は、１つのページデータを記録した干渉縞スポットと隣り合う１つのページデータを記録した干渉縞スポットとの中心間距離が、そのスポット径以下となるよう記録されていてもよい。このように、いわゆるシフト多重方式で複数の干渉縞が多重記録された各マスターホログラム原版を用いても、Ｍ１＜Ｓ、Ｍ２＜Ｓ、・・・Ｍｎ＜Ｓである限り、新たなホログラム記録媒体に目的の干渉縞を正確に記録することができるとともに、新たなホログラム記録媒体の再生時に再生エラーが生じるのを回避することができる。
【００１９】
このとき、各マスターホログラム原版において、複数の干渉縞は、一定の周期で記録されていてもよい。この場合、各マスターホログラム原版を用いて、一定周期ごとの複数の干渉縞を記録したホログラム記録媒体を作製することができる。
【００２０】
また、本発明においては、各マスターホログラム原版において、同一箇所に、可干渉性の光の入射角度が互いに異なる複数のページデータが記録されていてもよい。このように、いわゆる角度多重方式で複数の干渉縞が多重記録された各マスターホログラム原版を用いても、Ｍ１＜Ｓ、Ｍ２＜Ｓ、・・・Ｍｎ＜Ｓである限り、新たなホログラム記録媒体に目的の干渉縞を正確に記録することができるとともに、新たなホログラム記録媒体の再生時に再生エラーが生じるのを回避することができる。
【００２１】
また、本発明においては、各マスターホログラム原版への干渉縞の記録時に照射される可干渉性の光の入射角度は、各マスターホログラム原版間で異なっていてもよい。この場合、ホログラム記録媒体の作製時には、用いるマスターホログラム原版ごとに可干渉性の光の入射角度を変化させて、作製するホログラム記録媒体に複数の干渉縞を簡便に多重記録することができる。
【００２２】
また、本発明においては、各マスターホログラム原版において、同一箇所に、可干渉性の光の波長が互いに異なる複数のページデータが記録されていてもよい。このように、いわゆる波長多重方式で複数の干渉縞が多重記録された各マスターホログラム原版を用いても、Ｍ１＜Ｓ、Ｍ２＜Ｓ、・・・Ｍｎ＜Ｓである限り、新たなホログラム記録媒体に目的の干渉縞を正確に記録することができるとともに、新たなホログラム記録媒体の再生時に再生エラーが生じるのを回避することができる。
【００２３】
また、本発明において、各マスターホログラム原版への干渉縞の記録時に照射される可干渉性の光の波長は、各マスターホログラム原版間で異なっていてもよい。この場合、ホログラム記録媒体の作製時には、用いるマスターホログラム原版ごとに可干渉性の光の波長を変化させて、作製するホログラム記録媒体に複数の干渉縞を簡便に多重記録することができる。
【００２４】
また、本発明においては、各マスターホログラム原版を交換するごとに、マスターホログラム原版を未記録のホログラム記録媒体と重ね合わせて近接配置し、上記可干渉性の光としての参照光を上記マスターホログラム原版に照射することにより、上記マスターホログラム原版から記録情報を持つ情報光を上記再生光として再生し、上記情報光と上記参照光とを干渉させることにより、上記ホログラム記録媒体に干渉縞を記録するようにしてもよい。
【００２５】
マスターホログラム原版に参照光を照射したときに、マスターホログラム原版から情報光が再生されるということは、マスターホログラム原版には、情報光と参照光との２光束の干渉によって干渉縞が記録されていると言える。この場合、例えば、３光束（情報光と複数の参照光）の干渉によって干渉縞が記録されたものと比べて、マスターホログラム原版に記録されているノイズは少ない。
【００２６】
よって、各マスターホログラム原版を交換するごとに、マスターホログラム原版を未記録のホログラム記録媒体と重ね合わせて近接配置し、可干渉性の光としての参照光を上記マスターホログラム原版に照射することにより、３光束を用いて作製されるマスターホログラム原版を用いてホログラム記録媒体を作製する場合よりも、作製するホログラム記録媒体にノイズの少ない状態で複数の干渉縞を記録することができる。
【００２７】
また、本発明においては、各マスターホログラム原版を交換するごとに、マスターホログラム原版を未記録のホログラム記録媒体と重ね合わせて近接配置し、上記可干渉性の光としての参照光（第２の参照光）を上記マスターホログラム原版に照射することにより、上記マスターホログラム原版から記録情報を持つ情報光と、上記参照光とは異なる参照光（第１の参照光）とを上記再生光として再生し、上記情報光と上記異なる参照光とを干渉させることにより、上記ホログラム記録媒体に干渉縞を記録するようにしてもよい。
【００２８】
マスターホログラム原版に第２の参照光を照射したときに、マスターホログラム原版から情報光と第１の参照光とが再生されるということは、マスターホログラム原版には、情報光、第１の参照光および第２の参照光の３光束の干渉によって干渉縞が記録されていると言える。この場合、例えば、２光束（情報光と参照光）の干渉によって干渉縞が記録されたものと比べると、マスターホログラム原版に記録されているノイズは多いものと思われる。
【００２９】
しかし、本発明では、上述したように、最大多重度がＭ１＜Ｓ、Ｍ２＜Ｓ、・・・Ｍｎ＜Ｓとなる複数枚のマスターホログラム原版、すなわち、ノイズが元々少ない状態で干渉縞が記録された複数枚のマスターホログラム原版を用いるので、上記のように３光束を用いて作製されるマスターホログラム原版を用いてホログラム記録媒体を作製する場合でも、作製するホログラム記録媒体にノイズの少ない状態で複数の干渉縞を記録することができる。つまり、ホログラム記録媒体を作製するにあたり、Ｍ＜Ｓとなる最大多重度で干渉縞が記録された複数枚のマスターホログラム原版を用いる本発明の作製方法は、３光束で作製されるマスターホログラム原版を用いてホログラム記録媒体を作製する場合に非常に有効なものとなる。
【００３０】
また、本発明においては、上記可干渉性の光として、上記マスターホログラム原版への干渉縞の記録時と同じ波長の光を用いることが望ましい。この場合、マスターホログラム原版が波長多重方式で作製されたものであっても、そのマスターホログラム原版から再生光を確実に得ることができ、この再生光を用いてホログラム記録媒体に干渉縞を確実に記録することができる。
【００３１】
また、本発明においては、上記可干渉性の光として、上記マスターホログラム原版への干渉縞の記録時と同じ入射角度の光を用いることが望ましい。この場合、マスターホログラム原版が角度多重方式で作製されたものであっても、そのマスターホログラム原版から再生光を確実に得ることができ、この再生光を用いてホログラム記録媒体に干渉縞を確実に記録することができる。
【００３２】
また、本発明においては、（ホログラム記録媒体作製時には、）１枚のマスターホログラム原版に対して、その全面に可干渉性の光を一度だけ照射するようにしてもよい。この場合、各マスターホログラム原版に対して一度の光照射で、作製するホログラム記録媒体に複数の干渉縞を簡便に記録することができる。
【００３３】
また、本発明においては、（ホログラム記録媒体作製時には、）１枚のマスターホログラム原版を複数の領域に分割し、各領域ごとに可干渉性の光を照射するようにしてもよい。この場合、マスターホログラム原版において、一度に露光される干渉縞の数が少ないので、ノイズ光の発生をより低減することができる。
【００３４】
また、本発明においては、マスターホログラム原版およびホログラム記録媒体を一体として、参照光に対して連続的に移動させながら上記ホログラム記録媒体に干渉縞を記録するようにしてもよい。この場合、１枚のページデータごとに干渉縞を記録する一般的なホログラム記録方法に比べて、同時に記録する干渉縞の数が多いので、ホログラム記録媒体を高速（短時間）で作製することができる。
【００３５】
また、本発明においては、マスターホログラム原版およびホログラム記録媒体は同心円状の形状であり、上記両者を一体として、参照光に対して同心円の中心を回転中心として連続的に回転させながら上記ホログラム記録媒体に干渉縞を記録するようにしてもよい。このようにマスターホログラム原版およびホログラム記録媒体が同心円状の形状であっても、１枚のページデータごとに干渉縞を記録する一般的なホログラム記録方法に比べて、ホログラム記録媒体を高速（短時間）で作製することができる。
【００３６】
また、本発明においては、作製するホログラム記録媒体に複数の干渉縞を体積位相型のホログラムとして記録するようにしてもよい。この場合、複数の干渉縞を高密度で多重記録することができる。
【００３７】
また、本発明においては、上記ホログラムの感光材料として、フォトポリマーを用いるようにしてもよい。この場合、ホログラム記録媒体を安価に作製することができる。
【００３８】
また、本発明のホログラム記録媒体は、上述した本発明のホログラム記録媒体作製方法により、複数の干渉縞が多重記録されて作製されていることを特徴としている。この構成によれば、作製されたホログラム記録媒体において、極力ノイズを低減した状態で同一箇所に複数の干渉縞が正確に多重記録されているので、その再生時に再生エラーが生じるのを回避することができる。
【００３９】
また、本発明のホログラム記録媒体作製装置は、上述した本発明のホログラム記録媒体作製方法により、作製するホログラム記録媒体に複数の干渉縞を多重記録することを特徴としている。この構成によれば、極力ノイズを低減した状態で同一箇所に複数の干渉縞を正確に多重記録したホログラム記録媒体を作製することができるとともに、作製されたホログラム記録媒体の再生時に再生エラーが生じるのを回避することができる。
【発明の効果】
【００４０】
本発明によれば、最大多重度がＭ１＜Ｓ、Ｍ２＜Ｓ、・・・Ｍｎ＜Ｓとなる複数枚のマスターホログラム原版を用い、各マスターホログラム原版を順次交換しながらそれぞれに対して可干渉性の光を照射して新たなホログラム記録媒体を作製するので、新たなホログラム記録媒体において極力ノイズを低減した状態で複数の干渉縞を多重記録することができる。その結果、目的の干渉縞を正確に記録することができるとともに、新たなホログラム記録媒体の再生時に再生エラーが生じるのを回避することができる。
【発明を実施するための最良の形態】
【００４１】
〔実施の形態１〕
本発明の実施の一形態について、図面に基づいて説明すれば、以下の通りである。
本発明は、マスターホログラム原版を用いて新たなホログラム記録媒体を作製する際に、作製するホログラム記録媒体の干渉縞の多重度よりも低い多重度で干渉縞が記録されたマスターホログラム原版を複数枚作製し、これらを用いてホログラム記録媒体を作製する点に特徴があるが、個々のマスターホログラム原版の詳細については後述することとし、まず、マスターホログラム原版の作製方法と、それを用いたホログラム記録媒体の作製方法とについて説明する。
【００４２】
（１．マスターホログラム原版の作製方法）
図２は、マスターホログラム原版作製装置の概略の構成を示す説明図である。この装置は、例えば半導体レーザーからなる光源１と、アイソレータ２と、スペーシャルフィルタ３と、コリミネートレンズ４と、ビームスプリッタ５と、ミラー６・７と、空間光変調素子８と、フーリエ変換レンズ９と、リレーレンズ１０とを有している。
【００４３】
光源１から可干渉性の光が出射されると、この光はアイソレータ２を介してスペーシャルフィルタ３およびコリミネートレンズ４により整形され、ビームスプリッタ５で２光束に分岐される。上記のアイソレータ２を用いることにより、ビームが逆方向に伝播するのを防ぐことができ、特に本実施形態のように、光源１として半導体レーザーを用いる場合に有効である。
【００４４】
ビームスプリッタ５にて分岐された２光束のうちの一方は、ミラー６で反射された後、空間光変調素子８により変調されて２次元ページデータ８ａ（図３参照）の情報を持つ情報光となり、フーリエ変換レンズ９を通ってマスターホログラム原版１１のディスク面に到達する。なお、空間光変調素子８は、液晶表示素子やＤＭＤ（digital micromirror device；米国テキサスインスツルメント社製）で構成することが可能である。
【００４５】
一方、ビームスプリッタ５にて分岐された２光束のうちの他方は、ミラー７で反射された後、リレーレンズ１０を通り、参照光としてマスターホログラム原版１１のディスク面に到達する。上記ディスク面では、情報光および参照光の２光束が干渉することにより、その干渉縞が記録される。このとき、シフト多重方式、角度多重方式、波長多重方式などの各多重方式を用いて干渉縞を複数回記録することで、マスターホログラム原版１１が作製される。
【００４６】
例えば、図３は、シフト多重方式により、マスターホログラム原版１１に複数の干渉縞１２を多重記録する様子を模式的に示す説明図である。また、図４は、複数の干渉縞１２が多重記録されているマスターホログラム原版１１の断面図を示している。シフト多重方式により、マスターホログラム原版１１に複数の干渉縞１２を多重記録する場合には、各干渉縞１２の記録ごとにマスターホログラム原版１１をほんの少しずつシフトさせる。これにより、干渉縞１２の記録される位置（記録ビット）が、マスターホログラム原版１１のディスク面の面内方向において互いにずれて重なる。したがって、より多くの情報を高密度にマスターホログラム原版１１に記録することが可能となる。
【００４７】
なお、角度多重方式により、マスターホログラム原版１１に複数の干渉縞を多重記録する場合には、各干渉縞の記録ごとに、これに照射する参照光の入射角度を変化させることにより、同一箇所に複数の干渉縞を多重記録するが、この点については後述する実施の形態２で説明する。また、波長多重方式により、マスターホログラム原版１１に複数の干渉縞を多重記録する場合には、各干渉縞の記録ごとに、光源１から出射されるレーザー光の波長を変化させることにより、同一箇所に複数の干渉縞を多重記録するが、この点については後述する実施の形態３で説明する。
【００４８】
（２．ホログラム記録媒体の作製方法）
次に、ホログラム記録媒体の作製方法について説明する。図５は、ホログラム記録媒体作製装置の概略の構成を示す説明図である。この装置は、例えば半導体レーザーからなる光源２１と、アイソレータ２２と、スペーシャルフィルタ２３と、コリミネートレンズ２４と、ミラー２５と、ビームエキスパンダ２６とを有している。なお、アイソレータ２２、スペーシャルフィルタ２３、コリミネートレンズ２４、ミラー２５およびビームエキスパンダ２６は、光源２１から出射される可干渉性の光をマスターホログラム原版１１に導く光学系２７を構成している。
【００４９】
この装置を用いてホログラム記録媒体２８を作製する際には、まず、上述のようにして作製したマスターホログラム原版１１に対して、未記録媒体であるホログラム記録媒体２８を密着させ、光学系２７の所定の位置に配置する。光源２１から可干渉性の光が出射されると、この光はアイソレータ２２を介してスペーシャルフィルタ２３およびコリミネートレンズ２４により整形され、ミラー２５で反射された後、ビームエキスパンダ２６でその光束径が拡大され、参照光としてマスターホログラム原版１１に入射する。
【００５０】
このとき、上記参照光を、マスターホログラム原版１１の作製時に用いる参照光と同じ入射角度で、またはマスターホログラム原版１１の作製時に用いる参照光の入射方向とは反対方向からマスターホログラム原版１１に入射させる。すると、マスターホログラム原版１１からは記録情報を持つ情報光が再生光として出射され、この情報光と上記参照光とが干渉することにより、ホログラム記録媒体２８に干渉縞が記録される。この点について、より具体的に説明する。
【００５１】
図６および図７は、マスターホログラム原版１１が透過型である場合の、マスターホログラム原版１１およびホログラム記録媒体２８の位置関係を示す断面図である。マスターホログラム原版１１が透過型である場合、未記録媒体であるホログラム記録媒体２８は、マスターホログラム原版１１に対して参照光の入射側とは逆側に配置される。なお、図示はしないが、マスターホログラム原版１１が反射型である場合、ホログラム記録媒体２８は、マスターホログラム原版１１に対して参照光の入射側に配置される。
【００５２】
参照光として、マスターホログラム原版１１の作製時に用いた参照光と同一入射角度の光（図６参照）、あるいは、上記参照光と逆向きの光（図７参照）を用い、これをマスターホログラム原版１１に照射することにより、マスターホログラム原版１１から情報光を再生することができる。したがって、再生された情報光と上記参照光との２光束干渉により、マスターホログラム原版１１に記録された情報と同一の情報を持つ複数の干渉縞２９をホログラム記録媒体２８に記録することができる。
【００５３】
本実施形態のように、ビームエキスパンダ２６によって参照光の光束径を拡大することにより、１枚のマスターホログラム原版１１に対して、その全面に可干渉性の光（参照光）を一度だけ照射するようにすることができる。これにより、一度に複数の干渉縞２９をホログラム記録媒体２８に記録することができ、簡便（容易、高速）にホログラム記録媒体２８を作製することができるとともに、ホログラム記録媒体２８を容易に大量生産することができる。
【００５４】
また、本実施形態では、複数の干渉縞２９を、上述した２光束の干渉によって形成される体積位相型のホログラムとしてホログラム記録媒体２８に記録している。体積位相型のホログラムでは、複数の干渉縞２９を屈折率変調の形で記録するので、複数の干渉縞２９を高密度に多重記録することができる。
【００５５】
ここで、体積位相型のホログラムの感光材料としては、液晶系材料やフォトリフラクティブ材料、相変化型材料など種々挙げられるが、フォトポリマーであるのが最も望ましい。フォトポリマーを用いることにより、ホログラム記録媒体２８を安価に作製することができる。また、フォトポリマーには、多くの波長に感度を持たせることができるので、特に後述する波長多重方式で複数の干渉縞２９を記録する場合に有利となる。また、ホログラム感光材料としてフォトポリマーを用いた場合、記録情報の書き換えは不可であるが、その分、経時安定性がよい。さらに、フォトポリマーは、材料のバリエーションが豊富であり、高感度なもの、低収縮なものなどいろいろある。したがって、仕様に応じた材料を適切に選択することができるという利点もある。
【００５６】
なお、媒体の厚さや屈折率、参照光の入射角や波長などにより、マスターホログラム原版１１とホログラム記録媒体２８とでは、記録されるホログラム干渉縞が異なる。したがって、実際には、ホログラム記録媒体２８に最終的に必要とする干渉縞が記録されるように、上記のパラメータを適切に設定してマスターホログラム原版１１を作製する必要がある。
【００５７】
なお、以上では、マスターホログラム原版作製装置およびホログラム記録媒体作製装置を別々の装置としたが、これらは構成上共通部分が多いので、これらをまとめて同一の装置としてもよい。また、１枚のマスターホログラム原版１１またはホログラム記録媒体２８に対して露光光学系を複数用い、複数の領域に干渉縞を一度に記録して高速化を図ってもよい。
【００５８】
（３．マスターホログラム原版について）
次に、本発明の最も特徴的な部分であるマスターホログラム原版について説明する。
図１は、本実施形態で用いるマスターホログラム原版３１・３２と、そのマスターホログラム原版３１・３２を用いて作製されるホログラム記録媒体３３とを模式的に示す平面図である。本実施形態では、マスターホログラム原版として、２枚のマスターホログラム原版３１・３２を用いている。個々のマスターホログラム原版３１・３２の作製方法については、上述したマスターホログラム原版１１の作製方法をそのまま適用することができる。つまり、上述したマスターホログラム原版１１の作製方法において、マスターホログラム原版１１をマスターホログラム原版３１・３２のそれぞれに置き換えて考えればよい。
【００５９】
マスターホログラム原版３１においては、上述したレーザー光の２光束干渉により、複数の干渉縞（例えば干渉縞４１・４３・４５・４７）が記録されている。ここでは、ある干渉縞においてこれと隣り合う干渉縞とのノイズが含まれるのを極力低減するために、複数の干渉縞は互いにオーバーラップせずに記録されているものとする。それゆえ、マスターホログラム原版３１の最大多重度をＭ１とすると、Ｍ１＝１である。
【００６０】
なお、多重度とは、記録媒体の同一箇所に多重されている干渉縞の数、すなわち、記録媒体の同一位置に異なる干渉縞がいくつ記録されているかを示す数（自然数）を指し、最大多重度とは、１つの記録媒体に干渉縞が多重されている部分が複数ある場合に、多重度の最大値を指すものとする。
【００６１】
一方、マスターホログラム原版３２においては、同じく上述したレーザー光の２光束干渉により、複数の干渉縞（例えば干渉縞４２・４４・４６）が記録されている。ここでは、上記と同様に、ある干渉縞においてこれと隣り合う干渉縞とのノイズが含まれるのを極力低減するために、複数の干渉縞は互いにオーバーラップせずに記録されているものとする。それゆえ、マスターホログラム原版３２の最大多重度をＭ２とすると、Ｍ２＝１である。
【００６２】
また、本実施形態では、同一のマスターホログラム原版３１で互いに異なる位置に記録されている複数の干渉縞４１・４３・４５・４７は、波長および入射角度が一定の可干渉性の光の照射によりマスターホログラム原版３１に記録されている。同様に、同一のマスターホログラム原版３２で互いに異なる位置に記録されている複数の干渉縞４２・４４・４６は、波長および入射角度が一定の可干渉性の光の照射によりマスターホログラム原版３２に記録されている。
【００６３】
本実施形態では、このような複数枚のマスターホログラム原版３１・３２を用い、ホログラム記録媒体３３を作製している。このときのホログラム記録媒体３３の作製方法は、上述したホログラム記録媒体２８の作製方法を適用することができる。
【００６４】
つまり、上述したホログラム記録媒体２８の作製方法において、ホログラム記録媒体２８をホログラム記録媒体３３に置き換え、マスターホログラム原版１１をマスターホログラム原版３１・３２のそれぞれに置き換えればよい。ただし、マスターホログラム原版３１・３２を順次交換しながら、その交換ごとにマスターホログラム原版３１または３２を未記録のホログラム記録媒体３３と重ね合わせて近接配置する。そして、マスターホログラム原版３１・３２のそれぞれに対して光源２１から可干渉性の光（参照光）を照射することにより、マスターホログラム原版３１に記録されている複数の干渉縞４１・４３・４５・４７と、マスターホログラム原版３２に記録されている複数の干渉縞４２・４４・４６とをホログラム記録媒体３３に多重記録する。なお、上記参照光は、各マスターホログラム原版３１・３２への干渉縞４１〜４７の記録時に用いた参照光と同じ光である。
【００６５】
図８（ａ）ないし図８（ｃ）は、それぞれ、マスターホログラム原版３１・３２、ホログラム記録媒体３３の模式的な断面図を示している。上記のようにしてホログラム記録媒体３３に複数の干渉縞４１〜４７を多重記録することにより、ホログラム記録媒体３３の最大多重度Ｓは、例えば２となっている。つまり、作製するホログラム記録媒体３３の最大多重度Ｓよりも低い最大多重度Ｍ１、Ｍ２のマスターホログラム原版３１・３２を用いても、ホログラム記録媒体３３に複数の干渉縞（干渉縞４１〜４７）を最大多重度Ｓで多重記録することができる。
【００６６】
以上のように、本実施形態では、マスターホログラム原版３１・３２の最大多重度をＭ（Ｍは自然数）、作製するホログラム記録媒体３３の最大多重度をＳ（Ｓは自然数）としたときに、Ｍ＜Ｓとなる最大多重度でそれぞれ干渉縞が記録された複数枚のマスターホログラム原版３１・３２を用いている。最大多重度Ｍのマスターホログラム原版３１・３２は、最大多重度Ｓのマスターホログラム原版に比べて、多重度が低い分だけ隣り合う干渉縞とのノイズが元々少ない状態で干渉縞が記録されていると言える。したがって、マスターホログラム原版３１・３２の個々に対して可干渉性の光を照射しても、各マスターホログラム原版３１・３２から再生されるノイズ光は、最大多重度Ｓのマスターホログラム原版を用いる場合に比べて少ない。
【００６７】
したがって、このような元々ノイズの少ない各マスターホログラム原版３１・３２を順次交換しながらそれぞれに対して可干渉性の光を照射することにより、ホログラム記録媒体３３において極力ノイズを低減した状態で同一箇所に複数の干渉縞を多重記録することができる。その結果、ホログラム記録媒体３３に目的の干渉縞を正確に記録することができるとともに、ホログラム記録媒体３３の再生時に再生エラーが生じるのを回避することができる。
【００６８】
ところで、用いるマスターホログラム原版の枚数を少なくすれば、その交換回数も少なくなるので、ホログラム記録媒体３３の作製に要するトータルの時間がより短くなる。つまり、より短時間で未記録のホログラム記録媒体３３に全ての干渉縞を記録することできる。一方、用いるマスターホログラム原版の枚数を多くすれば、個々のマスターホログラム原版の最大多重度を低くすることができ、可干渉性の光の照射時に個々のマスターホログラム原版からノイズ光が発生するのを抑制できる。したがって、これらのことを考慮すると、最適なマスター原版の枚数は、２枚以上Ｓ枚以下の範囲で設定されればよいと言える。ただし、この場合であっても、ｎ枚のマスターホログラム原版の個々の最大多重度をＭ１、Ｍ２、・・・Ｍｎとすれば、Ｍ１＜Ｓ、Ｍ２＜Ｓ、・・・Ｍｎ＜Ｓである。
【００６９】
特に、本実施形態のように、作製するホログラム記録媒体３３の最大多重度Ｓと同じ枚数Ｓのマスターホログラム原版３１・３２を用いる、つまり、複数の干渉縞が互いにオーバーラップせずに記録されており、全く多重記録されていない（多重度１の）マスターホログラム原版３１・３２を用いることにより、最もノイズ光の発生を抑制してホログラム記録媒体３３を作製することができる。
【００７０】
また、本実施形態では、同一のマスターホログラム原版（例えばマスターホログラム原版３１）で互いに異なる位置に記録されている複数の干渉縞（例えば干渉縞４１・４３・４５・４７）は、波長および入射角度が一定の可干渉性の光の照射により上記マスターホログラム原版に記録されている。これにより、光束径の広い参照光を一定の波長および入射角度でマスターホログラム原版に照射すれば、マスターホログラム原版と同じ記録情報を持つ複数の干渉縞を一度にホログラム記録媒体３３に記録することができる。したがって、簡便にホログラム記録媒体３３を作製することができる。
【００７１】
また、本実施形態では、各マスターホログラム原版３１・３２を作製するにあたり、情報光と参照光との２光束を用いて干渉縞を記録しており、このようにして作製された各マスターホログラム原版３１・３２を用いてホログラム記録媒体３３を作製している。２光束を用いて作製される各マスターホログラム原版３１・３２は、例えば３光束（情報光と複数の参照光）を用いて作製されるマスターホログラム原版に比べて、干渉に用いる光の数が少ない分だけ、記録されるノイズも少ない。
【００７２】
したがって、２光束干渉で作製される各マスターホログラム原版３１・３２を用いてホログラム記録媒体３３を作製することにより、３光束干渉で作製される複数のマスターホログラム原版を用いてホログラム記録媒体を作製する場合に比べて、ノイズの少ない状態で複数の干渉縞をホログラム記録媒体３３に記録することができる。
【００７３】
ところで、本実施形態では、マスターホログラム原版３１・３２の最大多重度Ｍ１、Ｍ２は、それぞれ１としたが、作製するホログラム記録媒体３３の最大多重度Ｓの値によっては、２以上であってもよく、また、マスターホログラム原版３１・３２間で異なっていてもよい。
【００７４】
例えば、図９は、各マスターホログラム原版３１・３２およびホログラム記録媒体３３の他の例を模式的に示す平面図である。同図においては、各マスターホログラム原版３１・３２の複数の干渉縞は、１つのページデータを記録した干渉縞スポットと隣り合う１つのページデータを記録した干渉縞スポットとの中心間距離Ｄが、そのスポット径Ｌ以下となるよう記録されている。各マスターホログラム原版３１・３２において、複数の干渉縞がこのような状態で記録されていれば、各マスターホログラム原版３１・３２の最大多重度Ｍ１、Ｍ２は、２以上となり得ることになり、また、マスターホログラム原版３１・３２間で異なる値ともなり得る。ただし、同図においても、Ｍ１＜Ｓ、Ｍ２＜Ｓとする。
【００７５】
このような場合であっても、最大多重度Ｍ１、Ｍ２が最大多重度Ｓよりも小さいことにより、各マスターホログラム原版３１・３２では、最大多重度Ｓのマスターホログラム原版に比べて、複数の干渉縞がノイズの少ない状態で記録されていることに変わりはない。それゆえ、シフト多重方式で複数の干渉縞が多重記録された各マスターホログラム原版３１・３２を用いても、ホログラム記録媒体３３の同一箇所に複数の干渉縞を正確に多重記録することができるとともに、ホログラム記録媒体３３の再生時に再生エラーが生じるのを回避することができる。
【００７６】
このとき、各マスターホログラム原版３１・３２において、複数の干渉縞は、一定の周期（ピッチ）で記録されていてもよい。この場合は、各マスターホログラム原版３１・３２を用いて、一定周期ごとの複数の干渉縞をホログラム記録媒体３３に記録することができる。
【００７７】
ところで、作製するホログラム記録媒体３３の最大多重度Ｓと、用いるマスターホログラム原版３１・３２の最大多重度Ｍ１、Ｍ２との関係は、Ｓ＝Ｍ１＋Ｍ２でなくてもよい。例えば、図１０は、各マスターホログラム原版３１・３２および作製するホログラム記録媒体３３の異なる領域における多重度と、そのときの最大多重度とを一例として示している。
【００７８】
同図のように、マスターホログラム原版３１の第１〜第３の領域に記録されている干渉縞の多重度が、それぞれ２、１、３であり、マスターホログラム原版３２の第１〜第３の領域に記録されている干渉縞の多重度が、それぞれ１、５、２であるとすると、作製するホログラム記録媒体３３の第１〜第３の領域に記録されている干渉縞の多重度は、各マスターホログラム原版３１・３２の対応する領域の多重度をそれぞれ足し合わせた３、６、５となる。しかし、各マスターホログラム原版３１・３２および作製するホログラム記録媒体３３の最大多重度Ｍ１、Ｍ２およびＳは、それぞれ３、５、６であり、Ｓ＝Ｍ１＋Ｍ２とはなっていない。この場合であっても、Ｍ１＜Ｓ、Ｍ２＜Ｓであることには変わりなく、それゆえ、作製するホログラム記録媒体３３にノイズを極力低減した状態で干渉縞を多重記録することができる。
【００７９】
なお、本実施形態では、Ｍ＜Ｓとなる最大多重度で干渉縞が記録された透過型の複数枚のマスターホログラム原版を用いて、透過型のホログラム記録媒体を作製する場合について説明したが、Ｍ＜Ｓとなる最大多重度で干渉縞が記録された反射型の複数枚のマスターホログラム原版を用いて、反射型のホログラム記録媒体も同様に作製することができ、この場合でも本実施形態と同様の作用効果を得ることができる。
【００８０】
なお、本発明のホログラム記録媒体作製装置は、以下のように表現することもできる。すなわち、本発明のホログラム記録媒体作製装置は、可干渉性の光を出射する光源と、干渉縞が記録されたマスターホログラム原版に上記可干渉性の光を導く光学系とを備え、上記可干渉性の光を上記マスターホログラムに照射することによって得られる再生光を用いて、同一箇所に複数の干渉縞が多重記録されたホログラム記録媒体を作製するホログラム記録媒体作製装置であって、ｎを２以上の自然数とし、マスターホログラム原版をｎ枚用いたときに、上記光源は、順次交換される各マスターホログラム原版のそれぞれに対して可干渉性の光を照射し、各マスターホログラム原版の干渉縞の最大多重度をＭ１、Ｍ２、・・・Ｍｎ、作製するホログラム記録媒体の干渉縞の最大多重度をＳとすると、Ｍ１＜Ｓ、Ｍ２＜Ｓ、・・・Ｍｎ＜Ｓとなる最大多重度で、各マスターホログラム原版に干渉縞が記録されている。
【００８１】
〔実施の形態２〕
本発明の他の実施の形態について、図面に基づいて説明すれば、以下の通りである。なお、実施の形態１と同一の構成には同一の部材番号を付記し、その説明を省略する。本実施形態では、角度多重方式で作製された複数枚のマスターホログラム原版を用いてホログラム記録媒体を作製する方法について説明する。
【００８２】
一般的に、角度多重方式では、空間光変調素子から出射される情報光と、これとは別経路で導かれる参照光とを干渉させる際に、参照光の入射角度を少しずつ変化させる。これにより、マスターホログラム原版の同一位置（記録ビット）に複数の干渉縞を記録することができ、より多くの情報（ページデータ）を高密度に記録することが可能となる。
【００８３】
しかし、このように、マスターホログラム原版の同一位置に、参照光の入射角度が異なる多くの干渉縞が多重記録されていると、このマスターホログラム原版にある入射角度で参照光を照射したときに、同一位置の異なる干渉縞とのノイズ光が多く発生する。
【００８４】
そこで、本実施形態では、角度多重方式によりＭ＜Ｓとなる最大多重度で干渉縞が記録された複数枚のマスターホログラム原版を用い、作製するホログラム記録媒体に複数の干渉縞を多重記録する。以下、具体的に説明する。
【００８５】
まず、各マスターホログラム原版の作製方法について説明する。図１１（ａ）ないし図１１（ｃ）は、角度多重方式により、各マスターホログラム原版に複数の干渉縞を記録する様子を模式的に示す説明図である。なお、ここでは、複数のマスターホログラム原版として、マスターホログラム原版５１・５２・５３の３枚を想定している。角度多重方式により各マスターホログラム原版５１・５２・５３を作製する場合でも、図２に示したマスターホログラム原版作製装置を用いることができる。
【００８６】
本実施形態では、空間光変調素子８（図２参照）から出射される情報光と、これとは別経路で導かれる参照光とを干渉させる際に、参照光の入射角度を各マスターホログラム原版５１・５２・５３ごとに変化させている。つまり、マスターホログラム原版５１・５２・５３に照射される各参照光の入射角度は、それぞれ、例えばＡ度、Ｂ度、Ｃ度である。なお、上記の入射角度とは、マスターホログラム原版５１・５２・５３のディスク面（光入射側の面）に対する法線と各参照光の光軸とのなす角度を指すものとし、上記のＡ、ＢおよびＣは互いに異なる値とする。
【００８７】
そして、各マスターホログラム原版５１・５２・５３に干渉縞を記録するごとに、各マスターホログラム原版５１・５２・５３を所定ピッチでシフトさせる。なお、ここでは、ある干渉縞においてこれと隣り合う干渉縞とのノイズが含まれるのを極力低減するために、各マスターホログラム原版５１・５２・５３において、複数の干渉縞は互いにオーバーラップせずに記録されているものとする。それゆえ、各マスターホログラム原版５１・５２・５３の最大多重度Ｍ１、Ｍ２、Ｍ３は、それぞれ１である。
【００８８】
図１２（ａ）ないし図１２（ｄ）は、上記のようにして作製された各マスターホログラム原版５１・５２・５３と、各マスターホログラム原版５１・５２・５３を用いて作製されるホログラム記録媒体６１とを模式的に示す斜視図である。同一のマスターホログラム原版５１で互いに異なる位置に記録されている複数の干渉縞５１ａ…は、波長が一定で入射角度も一定（Ａ度）の可干渉性の光の照射によりマスターホログラム原版５１に記録されている。同様に、同一のマスターホログラム原版５２で互いに異なる位置に記録されている複数の干渉縞５２ａ…は、波長が一定で入射角度も一定（Ｂ度）の可干渉性の光の照射によりマスターホログラム原版５２に記録されており、同一のマスターホログラム原版５３で互いに異なる位置に記録されている複数の干渉縞５３ａ…は、波長が一定で入射角度も一定（Ｃ度）の可干渉性の光の照射によりマスターホログラム原版５３に記録されている。
【００８９】
各マスターホログラム原版５１・５２・５３を用いてホログラム記録媒体６１を作製する場合には、図５で示したホログラム記録媒体作製装置を用いることができる。その際に、マスターホログラム原版１１の代わりに、マスターホログラム原版５１・５２・５３を用いる。そして、マスターホログラム原版５１・５２・５３を順次交換しながら、これらの交換ごとに、マスターホログラム原版５１・５２・５３を未記録のホログラム記録媒体６１と重ね合わせて近接配置し、マスターホログラム原版５１・５２・５３のそれぞれに対して参照光を照射する。
【００９０】
ここで、マスターホログラム原版５１に参照光を照射するときは、入射角度が記録時と同じＡ度となるように参照光を照射する。そして、これをマスターホログラム原版５２に交換した後は、入射角度が記録時と同じＢ度となるようにマスターホログラム原版５２に参照光を照射する。さらに、これをマスターホログラム原版５３に交換した後は、入射角度が記録時と同じＣ度となるようにマスターホログラム原版５３に参照光を照射する。これにより、各マスターホログラム原版５１・５２・５３からは情報光が再生されるので、この情報光と上記参照光とを干渉させることにより、ホログラム記録媒体６１の同一位置６１ａに干渉縞５１ａ・５２ａ・５３ａと同じ情報を持つ複数の干渉縞が多重記録される。この例では、ホログラム記録媒体６１の最大多重度Ｓは３となる。
【００９１】
以上のように、本実施形態においても、Ｍ＜Ｓとなる最大多重度で干渉縞が記録された複数枚のマスターホログラム原版５１・５２・５３を用いているので、各マスターホログラム原版５１・５２・５３は、最大多重度Ｓのマスターホログラム原版に比べて同一位置からのノイズが元々少ない状態で干渉縞が記録されているものと言える。したがって、複数枚のマスターホログラム原版５１・５２・５３を用いてホログラム記録媒体６１を作製することにより、ホログラム記録媒体６１に目的の干渉縞を正確に記録することができるとともに、ホログラム記録媒体６１の再生時に再生エラーが生じるのを回避することができる。
【００９２】
また、例えば同じマスターホログラム原版５１で互いに異なる位置に記録されている複数の干渉縞５１ａ…は、入射角度が一定（Ａ度）の参照光の照射により、マスターホログラム原版５１に記録されている。これにより、光束径の広い参照光を上記入射角度でマスターホログラム原版５１に照射すれば、複数の干渉縞５１ａ…と同じ記録情報を持つ複数の干渉縞を一度にホログラム記録媒体６１に記録することができる。なお、マスターホログラム原版５２・５３に参照光を照射してホログラム記録媒体６１に複数の干渉縞を記録するときも同様である。したがって、簡便にホログラム記録媒体６１を作製することができる。
【００９３】
また、本実施形態では、各マスターホログラム原版５１・５２・５３への干渉縞の記録時に照射される参照光の入射角度Ａ、ＢおよびＣは、各マスターホログラム原版５１・５２・５３間で異なっている。この場合、ホログラム記録媒体６１の作製時に、用いるマスターホログラム原版５１・５２・５３ごとに参照光の入射角度を変化させればよいので、作製するホログラム記録媒体６１に複数の干渉縞を簡便に多重記録することができる。
【００９４】
また、本実施形態では、ホログラム記録媒体６１の作製時にマスターホログラム原版５１・５２・５３に照射する可干渉性の光として、マスターホログラム原版５１・５２・５３への干渉縞の記録時と同じ入射角度の光を用いている。これにより、マスターホログラム原版５１・５２・５３が角度多重方式で作製されたものであっても、そのマスターホログラム原版５１・５２・５３から再生光を確実に得ることができ、この再生光を用いてホログラム記録媒体６１に干渉縞を確実に記録することができる。
【００９５】
ところで、本実施形態では、各マスターホログラム原版５１・５２・５３の最大多重度Ｍ１、Ｍ２、Ｍ３が１の場合について説明したが、最大多重度Ｍ１、Ｍ２、Ｍ３は、作製するホログラム記録媒体６１の最大多重度Ｓよりも小さければよく、最大多重度Ｓの値によっては、それぞれ２以上であっても構わない。また、最大多重度Ｍ１、Ｍ２、Ｍ３は、これらの間では互いに異なっていてもよい。さらに、用いるマスターホログラム原版は、２枚以上の複数枚であってもよい。
【００９６】
例えば、図１３（ａ）は、２つの入射角度Ａ１、Ａ２で順に照射される参照光と、情報光との干渉によって複数の干渉縞が記録されるマスターホログラム原版５４を模式的に示す斜視図であり、図１３（ｂ）は、３つの入射角度Ｂ１、Ｂ２、Ｂ３で順に照射される参照光と、情報光との干渉によって複数の干渉縞が記録されるマスターホログラム原版５５を模式的に示す斜視図である。このようなマスターホログラム原版５４・５５では、同一箇所に、可干渉性の光の入射角度が互いに異なる複数のページデータ（干渉縞）が記録されることになる。この例では、マスターホログラム原版５４の最大多重度Ｍ１は２であり、マスターホログラム原版５５の最大多重度Ｍ２は３である。
【００９７】
上記のように角度多重方式で複数の干渉縞が多重記録された各マスターホログラム原版５４・５５を用いる場合でも、マスターホログラム原版５４・５５のそれぞれをホログラム記録媒体６１に順に貼り合わせ、各マスターホログラム原版５４・５５への干渉縞の記録時と同じ入射角度の光をそれぞれのマスターホログラム原版５４・５５に対して順に照射することにより、マスターホログラム原版５４・５５からの再生光を用いてホログラム記録媒体６１の同一位置に複数の干渉縞を多重記録することができる。
【００９８】
上記の例では、ホログラム記録媒体６１の最大多重度Ｓは５となるが、マスターホログラム原版５４・５５の最大多重度Ｍ１、Ｍ２とホログラム記録媒体６１の最大多重度Ｓとの関係は、Ｍ１＜Ｓ、Ｍ２＜Ｓであることに変わりはない。それゆえ、角度多重方式で複数の干渉縞が多重記録されたマスターホログラム原版５４・５５を用いても、ホログラム記録媒体６１に目的の干渉縞を正確に記録することができるとともに、ホログラム記録媒体６１の再生時に再生エラーが生じるのを回避することができる。
【００９９】
以上のことから、本発明のホログラム記録媒体作製方法は、以下のように表現することもできる。すなわち、本発明のホログラム記録媒体作製方法は、ｎ枚のマスターホログラム原版に最大多重度Ｍ１、Ｍ２、・・・Ｍｎの干渉縞をそれぞれ記録するにあたり、各マスターホログラム原版にＭ１種類、Ｍ２種類、・・・Ｍｎ種類の入射角度で可干渉性の光が各マスターホログラム原版において順に照射されているときに、ホログラム記録媒体作製時には、各マスターホログラム原版への干渉縞の記録時に照射される可干渉性の光の入射角度と同じ入射角度で、各マスターホログラム原版に可干渉性の光を順に照射するものである。
【０１００】
なお、本実施形態では、Ｍ＜Ｓとなる最大多重度で干渉縞が記録された透過型の複数枚のマスターホログラム原版を用いて、透過型のホログラム記録媒体を作製する場合について説明したが、Ｍ＜Ｓとなる最大多重度で干渉縞が記録された反射型の複数枚のマスターホログラム原版を用いて、反射型のホログラム記録媒体も同様に作製することができ、この場合でも本実施形態と同様の作用効果を得ることができる。
【０１０１】
〔実施の形態３〕
本発明のさらに他の実施の形態について、図面に基づいて説明すれば、以下の通りである。なお、実施の形態１または２と同一の構成には同一の部材番号を付記し、その説明を省略する。本実施形態では、波長多重方式で作製された複数枚のマスターホログラム原版を用いてホログラム記録媒体を作製する方法について説明する。
【０１０２】
ホログラム記録媒体に干渉縞を多重記録する際には、上述してきたように、光源から出射される可干渉性の光を２光束に分岐し、その一方を空間光変調素子によってデジタル情報を２次元化して１枚のページデータとしたイメージ情報を持つ情報光とし、同じ光源から出射されて別経路で導いた他方の光を参照光とし、これらを干渉させることによって、その干渉縞（ホログラム）をホログラム記録媒体中に記録する。この際に、波長多重方式で多重記録を行う場合には、可干渉性の光を出射する光源として、例えば波長可変レーザーを用い、光源からの出射光の波長を少しずつ変化させる。これにより、ホログラム記録媒体の同一位置（記録ビット）に、より多くの情報（ページデータ）を高密度に記録することが可能となる。
【０１０３】
このような波長多重方式により、マスターホログラム原版を作製すると、作製されたマスターホログラム原版の同一位置に回折波長の異なる多くの干渉縞が多重記録されることになる。したがって、このマスターホログラム原版を用いて新たなホログラム記録媒体を作製すべく、マスターホログラム原版にある波長の参照光を照射すると、同一位置の異なる干渉縞とのノイズ光が多く発生する。
【０１０４】
そこで、本実施形態では、波長多重方式によりＭ＜Ｓとなる最大多重度で干渉縞が記録された複数枚のマスターホログラム原版を用い、作製するホログラム記録媒体に複数の干渉縞を多重記録する。以下、具体的に説明する。
【０１０５】
まず、各マスターホログラム原版の作製方法について説明する。図１４（ａ）ないし図１４（ｃ）は、波長多重方式により、各マスターホログラム原版に複数の干渉縞を記録する様子を模式的に示す説明図である。なお、ここでは、複数のマスターホログラム原版として、マスターホログラム原版７１・７２・７３の３枚を想定している。波長多重方式により各マスターホログラム原版７１・７２・７３を作製する場合でも、図２に示したマスターホログラム原版作製装置を用いることができる。ただし、図２の光源１は、波長可変レーザーで構成される。
【０１０６】
本実施形態では、光源１から出射される可干渉性の光の波長を各マスターホログラム原版７１・７２・７３の作製ごとに変化させている。そして、各波長について、空間光変調素子８（図２参照）から出射される情報光と、これとは別経路で導かれる参照光とを干渉させている。つまり、マスターホログラム原版７１・７２・７３に照射される光（情報光、参照光）の波長は、それぞれ、例えばλ１、λ２、λ３（単位はそれぞれｎｍとする）である。なお、λ１、λ２およびλ３は、互いに異なる値とする。
【０１０７】
なお、本実施形態では、マスターホログラム原版７１・７２・７３に対して、参照光を情報光の入射側とは反対側から照射しており、それゆえマスターホログラム原版７１・７２・７３は反射型として作製される。
【０１０８】
そして、各マスターホログラム原版７１・７２・７３に干渉縞を記録するごとに、各マスターホログラム原版７１・７２・７３を所定ピッチでシフトさせる。なお、ここでは、ある干渉縞においてこれと隣り合う干渉縞とのノイズが含まれるのを極力低減するために、各マスターホログラム原版７１・７２・７３において、複数の干渉縞は互いにオーバーラップせずに記録されているものとする。それゆえ、各マスターホログラム原版７１・７２・７３の最大多重度Ｍ１、Ｍ２、Ｍ３は、それぞれ１である。
【０１０９】
図１５（ａ）ないし図１５（ｄ）は、上記のようにして作製された各マスターホログラム原版７１・７２・７３と、各マスターホログラム原版７１・７２・７３を用いて作製されるホログラム記録媒体８１とを模式的に示す斜視図である。同一のマスターホログラム原版７１で互いに異なる位置に記録されている複数の干渉縞７１ａ…は、波長が一定（λ１）で入射角度も一定の可干渉性の光の照射によりマスターホログラム原版７１に記録されている。同様に、同一のマスターホログラム原版７２で互いに異なる位置に記録されている複数の干渉縞７２ａ…は、波長が一定（λ２）で入射角度も一定の可干渉性の光の照射によりマスターホログラム原版７２に記録されており、同一のマスターホログラム原版７３で互いに異なる位置に記録されている複数の干渉縞７３ａ…は、波長が一定（λ３）で入射角度も一定の可干渉性の光の照射によりマスターホログラム原版７３に記録されている。
【０１１０】
各マスターホログラム原版７１・７２・７３を用いてホログラム記録媒体８１を作製する場合には、図５で示したホログラム記録媒体作製装置を用いることができる。その際に、マスターホログラム原版１１の代わりに、マスターホログラム原版７１・７２・７３を用いる。そして、マスターホログラム原版７１・７２・７３を順次交換しながら、これらの交換ごとに、マスターホログラム原版７１・７２・７３を未記録のホログラム記録媒体８１と重ね合わせて近接配置し、マスターホログラム原版７１・７２・７３のそれぞれに対して参照光を照射する。
【０１１１】
ここで、マスターホログラム原版７１に参照光を照射するときは、波長が記録時と同じλ１となる参照光を照射する。そして、これをマスターホログラム原版７２に交換した後は、波長が記録時と同じλ２となる参照光をマスターホログラム原版７２に照射する。さらに、これをマスターホログラム原版７３に交換した後は、波長が記録時とλ３となる参照光をマスターホログラム原版７３に照射する。これにより、各マスターホログラム原版７１・７２・７３からは情報光が再生されるので、この情報光と上記参照光とを干渉させることにより、ホログラム記録媒体８１の同一位置８１ａに干渉縞７１ａ・７２ａ・７３ａと同じ情報を持つ複数の干渉縞が多重記録される。この例では、ホログラム記録媒体８１の最大多重度Ｓは３となる。
【０１１２】
以上のように、本実施形態においても、Ｍ＜Ｓとなる最大多重度で干渉縞が記録された複数枚のマスターホログラム原版７１・７２・７３を用いているので、各マスターホログラム原版７１・７２・７３は、最大多重度Ｓのマスターホログラム原版に比べて同一位置からのノイズが元々少ない状態で干渉縞が記録されているものと言える。したがって、複数枚のマスターホログラム原版７１・７２・７３を用いてホログラム記録媒体８１を作製することにより、ホログラム記録媒体８１に目的の干渉縞を正確に記録することができるとともに、ホログラム記録媒体８１の再生時に再生エラーが生じるのを回避することができる。
【０１１３】
また、例えば同じマスターホログラム原版７１で互いに異なる位置に記録されている複数の干渉縞７１ａ…は、波長が一定（λ１）の光の照射により、マスターホログラム原版７１に記録されている。これにより、光束径の広い参照光を上記波長でマスターホログラム原版７１に照射することにより、複数の干渉縞７１ａ…と同じ記録情報を持つ複数の干渉縞を一度にホログラム記録媒体８１に記録することができる。なお、マスターホログラム原版７２・７３に参照光を照射してホログラム記録媒体８１に複数の干渉縞を記録するときも同様である。したがって、簡便にホログラム記録媒体８１を作製することができる。
【０１１４】
また、本実施形態では、各マスターホログラム原版７１・７２・７３への干渉縞の記録時に照射される光の波長λ１、λ２およびλ３は、各マスターホログラム原版７１・７２・７３間で異なっている。この場合、ホログラム記録媒体８１の作製時に、用いるマスターホログラム原版７１・７２・７３ごとに参照光の波長を変化させればよいので、作製するホログラム記録媒体８１に複数の干渉縞を簡便に多重記録することができる。
【０１１５】
また、本実施形態では、ホログラム記録媒体８１の作製時にマスターホログラム原版７１・７２・７３に照射する可干渉性の光として、マスターホログラム原版７１・７２・７３への干渉縞の記録時と同じ波長の光を用いている。これにより、マスターホログラム原版７１・７２・７３が波長多重方式で作製されたものであっても、そのマスターホログラム原版７１・７２・７３から再生光を確実に得ることができ、この再生光を用いてホログラム記録媒体８１に干渉縞を確実に記録することができる。
【０１１６】
ところで、本実施形態では、各マスターホログラム原版７１・７２・７３の最大多重度Ｍ１、Ｍ２、Ｍ３が１の場合について説明したが、最大多重度Ｍ１、Ｍ２、Ｍ３は、作製するホログラム記録媒体８１の最大多重度Ｓよりも小さければよく、最大多重度Ｓの値によっては、それぞれ２以上であっても構わない。また、最大多重度Ｍ１、Ｍ２、Ｍ３は、これらの間では互いに異なっていてもよい。さらに、用いるマスターホログラム原版は、２枚以上の複数枚であってもよい。
【０１１７】
例えば、図１６（ａ）は、２つの波長λ１１、λ１２で順に照射される参照光と、情報光との干渉によって複数の干渉縞が記録されるマスターホログラム原版７４を模式的に示す斜視図であり、図１６（ｂ）は、３つの波長λ２１、λ２２、λ２３で順に照射される参照光と、情報光との干渉によって複数の干渉縞が記録されるマスターホログラム原版７５を模式的に示す斜視図である。このようなマスターホログラム原版７４・７５では、同一箇所に、照射される可干渉性の光の波長が互いに異なる複数のページデータ（干渉縞）が記録されることになる。この例では、マスターホログラム原版７４の最大多重度Ｍ１は２であり、マスターホログラム原版７５の最大多重度Ｍ２は３である。
【０１１８】
上記のように波長多重方式で複数の干渉縞が多重記録された各マスターホログラム原版７４・７５を用いる場合でも、マスターホログラム原版７４・７５のそれぞれをホログラム記録媒体８１に順に貼り合わせ、各マスターホログラム原版７４・７５への干渉縞の記録時と同じ波長の光をそれぞれのマスターホログラム原版７４・７５に対して順に照射することにより、マスターホログラム原版７４・７５からの再生光を用いてホログラム記録媒体８１の同一位置に複数の干渉縞を多重記録することができる。
【０１１９】
上記の例では、ホログラム記録媒体８１の最大多重度Ｓは５となるが、マスターホログラム原版７４・７５の最大多重度Ｍ１、Ｍ２とホログラム記録媒体８１の最大多重度Ｓとの関係は、Ｍ１＜Ｓ、Ｍ２＜Ｓであることに変わりはない。それゆえ、波長多重方式で複数の干渉縞が多重記録されたマスターホログラム原版７４・７５を用いても、ホログラム記録媒体８１に目的の干渉縞を正確に記録することができるとともに、ホログラム記録媒体８１の再生時に再生エラーが生じるのを回避することができる。
【０１２０】
以上のことから、本発明のホログラム記録媒体作製方法は、以下のように表現することもできる。すなわち、本発明のホログラム記録媒体作製方法は、ｎ枚のマスターホログラム原版に最大多重度Ｍ１、Ｍ２、・・・Ｍｎの干渉縞をそれぞれ記録するにあたり、各マスターホログラム原版にＭ１種類、Ｍ２種類、・・・Ｍｎ種類の波長で可干渉性の光が各マスターホログラム原版において順に照射されているときに、ホログラム記録媒体作製時には、各マスターホログラム原版への干渉縞の記録時に照射される可干渉性の光の波長と同じ波長で、各マスターホログラム原版に可干渉性の光を順に照射するものである。
【０１２１】
なお、本実施形態では、Ｍ＜Ｓとなる最大多重度で干渉縞が記録された反射型の複数枚のマスターホログラム原版を用いて、反射型のホログラム記録媒体を作製する場合について説明したが、Ｍ＜Ｓとなる最大多重度で干渉縞が記録された透過型の複数枚のマスターホログラム原版を用いて、透過型のホログラム記録媒体も同様に作製することができ、この場合でも本実施形態と同様の作用効果を得ることができる。
【０１２２】
なお、実施の形態１〜３では、３種類の多重記録方式（シフト多重方式、角度多重方式、波長多重方式）で作製される複数枚のマスターホログラム原版を用いてホログラム記録媒体を作製する例について説明したが、各マスターホログラム原版における多重記録方式はこれらに限定されるわけではない。他の多重記録方式として、例えば、参照光の位相を変えて多重記録を行う位相多重方式を用いて各マスターホログラム原版を作製することも可能である。また、上記各多重記録方式をいくつか組み合わせた複雑な方式で各マスターホログラム原版を作製することも可能である。そして、これらの方式で作製された各マスターホログラム原版を用いても、本発明の方法を適用してホログラム記録媒体を作製することは勿論可能である。
【０１２３】
〔実施の形態４〕
本発明のさらに他の実施の形態について、図面に基づいて説明すれば、以下の通りである。なお、実施の形態１ないし３と同一の構成には同一の部材番号を付記し、その説明を省略する。
【０１２４】
上述した実施の形態１〜３では、説明を簡略化するために、作製するホログラム記録媒体の形状が長方形状（カード状、板状）である場合について示したが、作製するホログラム記録媒体の形状は、これに限定されるわけではなく、例えば円盤状であってもよい。本実施形態では、複数枚の円盤状のマスターホログラム原版を用いて円盤状のホログラム記録媒体を作製する方法について説明する。
【０１２５】
図１７は、本実施形態で用いる円盤状のマスターホログラム原版９１・９２と、各マスターホログラム原版９１・９２を用いて作製される円盤状のホログラム記録媒体９３とを模式的に示す斜視図である。マスターホログラム原版９１には、後述の方法により、複数の干渉縞（例えば干渉縞１０１・１０３・１０５・１０７）が記録されており、マスターホログラム原版９２には、後述の方法により、複数の干渉縞（例えば干渉縞１０２・１０４・１０６）が記録されている。なお、ここでは、ある干渉縞においてこれと隣り合う干渉縞とのノイズが含まれるのを極力低減するために、各マスターホログラム原版９１・９２では、複数の干渉縞は互いにオーバーラップせずに記録されているものとする。それゆえ、各マスターホログラム原版９１・９２の最大多重度をそれぞれＭ１、Ｍ２とすると、Ｍ１＝Ｍ２＝１である。
【０１２６】
円盤状の各マスターホログラム原版９１・９２は、図２で示したマスターホログラム原版作製装置を用いて作製することが可能である。つまり、図２のマスターホログラム原版１１をマスターホログラム原版９１・９２のそれぞれに置き換え、各マスターホログラム原版９１・９２の記録位置を、各マスターホログラム原版９１・９２の回転によってシフトさせながら、干渉縞を記録していく。
【０１２７】
ただし、このようにして各マスターホログラム原版９１・９２に干渉縞を記録していく場合、各マスターホログラム原版９１・９２のディスク面に対して参照光が傾いて入射する構成では、各干渉縞の位置ごとに参照光の入射角度（入射方向）が異なる。この場合、１つの参照光の一度の照射で複数の干渉縞を未記録媒体に記録できるように、参照光の光路を設定することは難しい。
【０１２８】
そこで、円盤状の各マスターホログラム原版９１・９２を作製する場合には、各マスターホログラム原版９１・９２を、本来の情報光と参照光（第１の参照光）との２光束に加えて、第３の光（記録時参照光、第２の参照光）を用いて作製することが有効である。これにより、円盤状の各マスターホログラム原版９１・９２を用いてホログラム記録媒体９３を作製する場合でも、各マスターホログラム原版９１・９２に記録された干渉縞と同一の記録情報を持つ干渉縞をホログラム記録媒体９３に簡便に記録することができる。以下、この点について、より詳しく説明する。なお、以下では、マスターホログラム原版９１の作製方法について説明するが、マスターホログラム原版９２の作製についても同様である。
【０１２９】
図１８は、マスターホログラム原版９１を模式的に示す断面図である。マスターホログラム原版９１に干渉縞を記録する際には、光源から出射される可干渉性の光を２光束に分岐して得られる一方の光を、空間光変調素子によってデジタル情報を２次元化して１枚のページデータ８ａとしたイメージ情報を持つ情報光とし、同じ光源から出射されて別経路で導いた他方の光を第１の参照光とする。そして、これらの光（情報光、第１の参照光）に第２の参照光を加え、これらの３光束を干渉させることにより、その干渉縞９１ａをマスターホログラム原版９１に記録する。このとき、第２の参照光は、円盤状のマスターホログラム原版９１の回転とは独立して、常にある一方向からマスターホログラム原版９１に照射されるようにしておく。
【０１３０】
なお、情報光と第１の参照光とは、光軸が同軸であってもよい。この場合は、光束の中心部を例えば情報光とし、光束の周辺部（断面ドーナツ状の部分）を例えば第１の参照光とすることができる。
【０１３１】
図１９は、ホログラム記録媒体９３を作製するときのマスターホログラム原版９１およびホログラム記録媒体９３の断面図である。上記のようにして作製されたマスターホログラム原版９１・９２を用いてホログラム記録媒体９３を作製するときは、各マスターホログラム原版９１・９２を順次交換しながら、これらの交換ごとに、マスターホログラム原版９１・９２を未記録のホログラム記録媒体９３と重ね合わせて近接配置し、マスターホログラム原版９１・９２のそれぞれに対して第２の参照光を照射する。
【０１３２】
この際に、第２の参照光の光束径を拡大し、記録時の照射方向と同じ方向から参照光を各マスターホログラム原版９１・９２の全面に照射することで、一度に多数の干渉縞をホログラム記録媒体９３に記録することができる。つまり、例えばマスターホログラム原版９１に第２の参照光を照射することで、マスターホログラム原版９１の干渉縞９１ａからは情報光９１ａ1と第１の参照光９１ａ2とが再生光として再生され、これらの干渉により、ホログラム記録媒体９３に干渉縞９３ａを記録することができる。同様に、マスターホログラム原版９１の干渉縞９１ａとは異なる位置の干渉縞９１ｂからは、第２の参照光の照射時に情報光９１ｂ1と第１の参照光９１ｂ2とが再生光として再生され、これらの干渉により、ホログラム記録媒体９３に干渉縞９３ｂを干渉縞９３ａと同時に記録することができる。
【０１３３】
各マスターホログラム原版９１・９２を順次交換しながら、上記の方法で各マスターホログラム原版９１・９２に第２の参照光を照射し、各マスターホログラム原版９１・９２から得られる再生光によってホログラム記録媒体９３を作製することにより、図１７で示すように、各干渉縞１０１〜１０７の最大多重度Ｓが例えば２のホログラム記録媒体９３を得ることができる。
【０１３４】
以上のように、本実施形態では、可干渉性の光としての第２の参照光を各マスターホログラム原版９１・９２に照射することにより、各マスターホログラム原版９１・９２から記録情報を持つ情報光と第１の参照光とを再生光として再生し、情報光と第１の参照光とを干渉させることにより、作製するホログラム記録媒体９３に干渉縞を記録している。
【０１３５】
本実施形態のように、各マスターホログラム原版９１・９２への干渉縞の記録時に、本来必要な２光束（情報光と第１の参照光）に加えて、第３の光（第２の参照光）を用いる場合、各マスターホログラム原版９１・９２に記録される干渉縞はより複雑なものとなる。したがって、各マスターホログラム原版９１・９２を用いてホログラム記録媒体９３を作製すべく、各マスターホログラム原版９１・９２に第２の参照光を照射したときには、各マスターホログラム原版９１・９２からノイズ光も発生しやすい。
【０１３６】
しかし、マスターホログラム原版９１・９２は、Ｍ＜Ｓとなる最大多重度で干渉縞が記録されたものであり、元々ノイズが少ない状態で干渉縞が記録されたものであるので、このようなマスターホログラム原版９１・９２を用いてホログラム記録媒体９３を作製しても、作製するホログラム記録媒体９３にノイズの少ない状態で複数の干渉縞を記録することができる。つまり、ホログラム記録媒体９３を作製するにあたり、Ｍ＜Ｓとなる最大多重度で干渉縞が記録されたマスターホログラム原版９１・９２を用いる本発明の作製方法は、３光束干渉で作製されるマスターホログラム原版を用いてホログラム記録媒体を作製する場合に非常に有効なものとなる。
【０１３７】
〔実施の形態５〕
本発明のさらに他の実施の形態について、図面に基づいて説明すれば、以下の通りである。なお、実施の形態１ないし４と同一の構成には同一の部材番号を付記し、その説明を省略する。
【０１３８】
本実施形態では、Ｍ＜Ｓとなる複数枚のマスターホログラム原版を用いてホログラム記録媒体を作製する際に、１枚のマスターホログラム原版を複数の領域に分割し、各領域ごとに可干渉性の光としての参照光を照射するようにしている。
【０１３９】
例えば、図２０（ａ）ないし図２０（ｃ）は、マスターホログラム原版１１１における各分割領域ごとの参照光の照射領域１２１・１２２・１２３を示す説明図である。ホログラム記録媒体の作製時に、図２０（ａ）ないし図２０（ｃ）に示すマスターホログラム原版１１１の各照射領域１２１・１２２・１２３に順に参照光を照射することにより、マスターホログラム原版１１１の全面に参照光を一度に照射する場合に比べて、一度に露光する干渉縞１１２が少ないので、ノイズ光の発生をより抑制することができる。
【０１４０】
また、本実施形態の方法では、参照光の光束径を各ホログラム記録媒体の全面まで広げる必要がないので、照射光のパワーが弱い場合であっても、作製するホログラム記録媒体に複数の干渉縞を記録することができるとともに、装置（光学系）をコンパクトに構成することができる。さらに、一度に露光する面積が小さいので、低出力のレーザー光源を用いることができる。
【０１４１】
なお、以上では、長方形状のマスターホログラム原版１１１において、複数の干渉縞１１２が直線状に並んでいる例について説明したが、円盤状のマスターホログラム原版においては、例えば同心円状（リング状）に領域を分割したり、任意の回転角（中心角）ごとに領域を分割して、各分割領域ごとに参照光を照射し、ホログラム記録媒体に干渉縞を記録することも可能である。
【０１４２】
ところで、以上のように、１枚のマスターホログラム原版を複数の領域に分割し、各領域ごとに参照光を照射する場合においては、マスターホログラム原版とホログラム記録媒体とを一体として、参照光に対して連続的に移動させながらホログラム記録媒体に干渉縞を記録するようにしてもよい。
【０１４３】
例えば、図２１（ａ）ないし図２１（ｃ）は、上記の手法でホログラム記録媒体１１３を作製する様子を模式的に示す斜視図である。このように、マスターホログラム原版１１１とホログラム記録媒体１１３とを一体として、参照光に対して連続的に移動させ、照射領域１４１を時間経過とともに移動させることにより、各照射領域１４１ごとに干渉縞１１２を連続的にホログラム記録媒体１１３に記録することができる。その結果、ホログラム記録媒体１１３に干渉縞１１２をより高速に記録することができる。
【０１４４】
また、１枚のページデータごとに順次記録する一般的なホログラム記録方法に比べて、事前に作製したマスターホログラム原版１１１を用いて作製するという手法を用いることで、上記のようにマスターホログラム原版１１１およびホログラム記録媒体１１３を一体として、連続的に移動させながら記録することができる。これにより、一度に多くのデータを記録することが可能となり、かつ光源のシャッタ制御（シャッタなどによる参照光の制御）が不要で、より簡便に短時間でホログラム記録媒体を作製することが可能となる。また、基板の駆動制御も容易である。
【０１４５】
ここで、マスターホログラム原版１１１およびホログラム記録媒体１１３が円盤状、すなわち、同心円状の形状である場合は、上記両者を一体として、参照光に対して同心円の中心を回転中心として連続的に回転させながらホログラム記録媒体１１３に干渉縞を記録するようにしてもよい。
【０１４６】
例えば、図２２（ａ）および図２２（ｂ）は、上記の手法で同心円状のホログラム記録媒体１１３を作製する様子を模式的に示す斜視図である。このようにマスターホログラム原版１１１およびホログラム記録媒体１１３が円盤状であっても、両者を一体として連続的に回転させて、照射領域１４１を時間経過とともに移動させることにより、１枚のページデータごとに干渉縞を記録する一般的なホログラム記録方法に比べて、ホログラム記録媒体１１３を高速（短時間）で作製することができるなど、上記と同様の効果を得ることができる。また、既存の光ディスクの技術を円盤状のホログラム記録媒体１１３の作製に転用することが可能であるので、簡便である。さらに、基板を一定速度で回転させるだけでよく、動かしたり（平行移動させたり）スキップさせる必要がない。
【０１４７】
なお、以上の各実施の形態で説明した構成や方法を適宜組み合わせてホログラム記録媒体を作製することも勿論可能である。
【図面の簡単な説明】
【０１４８】
【図１】本発明の実施の一形態に係るホログラム記録媒体作製方法において用いる複数のマスターホログラム原版と、各マスターホログラム原版を用いて作製されるホログラム記録媒体とを模式的に示す平面図である。
【図２】マスターホログラム原版作製装置の概略の構成を示す説明図である。
【図３】シフト多重方式により、マスターホログラム原版に複数の干渉縞を多重記録する様子を模式的に示す説明図である。
【図４】複数の干渉縞が多重記録されているマスターホログラム原版の断面図である。
【図５】ホログラム記録媒体の作製装置の概略の構成を示す説明図である。
【図６】マスターホログラム原版が透過型である場合の、マスターホログラム原版とホログラム記録媒体との位置関係の一例を示す断面図である。
【図７】マスターホログラム原版が透過型である場合の、マスターホログラム原版とホログラム記録媒体との位置関係の他の例を示す断面図である。
【図８】（ａ）ないし（ｃ）は、それぞれ、各マスターホログラム原版およびホログラム記録媒体の模式的な断面図である。
【図９】各マスターホログラム原版およびホログラム記録媒体の他の例を模式的に示す平面図である。
【図１０】各マスターホログラム原版および作製するホログラム記録媒体の異なる領域における多重度と、そのときの最大多重度との一例を示す説明図である。
【図１１】（ａ）ないし（ｃ）は、本発明の他の実施の形態に係るホログラム記録媒体作製方法において用いる複数のマスターホログラム原版に、角度多重方式により複数の干渉縞を記録する様子を模式的に示す説明図である。
【図１２】（ａ）ないし（ｃ）は、上記各マスターホログラム原版を模式的に示す斜視図であり、（ｄ）は、上記各マスターホログラム原版を用いて作製されるホログラム記録媒体を模式的に示す斜視図である。
【図１３】（ａ）および（ｂ）は、上記各マスターホログラム原版の他の例を模式的に示す斜視図である。
【図１４】（ａ）ないし（ｃ）は、本発明のさらに他の実施の形態に係るホログラム記録媒体作製方法において用いる各マスターホログラム原版に、波長多重方式により複数の干渉縞を記録する様子を模式的に示す説明図である。
【図１５】（ａ）ないし（ｄ）は、上記各マスターホログラム原版と、上記各マスターホログラム原版を用いて作製されるホログラム記録媒体とを模式的に示す斜視図である。
【図１６】（ａ）および（ｂ）は、上記各マスターホログラム原版の他の例を模式的に示す斜視図である。
【図１７】本発明のさらに他の実施の形態に係るホログラム記録媒体作製方法において用いる複数の円盤状のマスターホログラム原版と、各マスターホログラム原版を用いて作製される円盤状のホログラム記録媒体とを模式的に示す斜視図である。
【図１８】上記マスターホログラム原版の一つを模式的に示す断面図である。
【図１９】円盤状のホログラム記録媒体を作製するときのマスターホログラム原版および上記ホログラム記録媒体の断面図である。
【図２０】（ａ）ないし（ｃ）は、本発明のさらに他の実施の形態に係るホログラム記録媒体作製方法において用いるマスターホログラム原版における各分割領域ごとの参照光の照射領域を示す説明図である。
【図２１】（ａ）ないし（ｃ）は、マスターホログラム原版とホログラム記録媒体とを一体的にシフトさせてホログラム記録媒体を作製する様子を模式的に示す斜視図である。
【図２２】（ａ）および（ｂ）は、マスターホログラム原版とホログラム記録媒体とを一体的に回転させてホログラム記録媒体を作製する様子を模式的に示す斜視図である。
【符号の説明】
【０１４９】
１    光源
１１    マスターホログラム原版
１２    干渉縞
２７    光学系
２８    ホログラム記録媒体
２９    干渉縞
３１    マスターホログラム原版
３２    マスターホログラム原版
３３    ホログラム記録媒体
４１〜４７    干渉縞
５１    マスターホログラム原版
５１ａ  干渉縞
５２    マスターホログラム原版
５２ａ  干渉縞
５３    マスターホログラム原版
５３ａ  干渉縞
５４    マスターホログラム原版
５５    マスターホログラム原版
６１    ホログラム記録媒体
７１    マスターホログラム原版
７１ａ  干渉縞
７２    マスターホログラム原版
７２ａ  干渉縞
７３    マスターホログラム原版
７３ａ  干渉縞
７４    マスターホログラム原版
７５    マスターホログラム原版
８１    ホログラム記録媒体
９１    マスターホログラム原版
９１ａ  干渉縞
９１ｂ  干渉縞
９２    マスターホログラム原版
９３    ホログラム記録媒体
９３ａ  干渉縞
９３ｂ  干渉縞
１０１〜１０７    干渉縞
１１１    マスターホログラム原版
１１２    干渉縞
１１３    ホログラム記録媒体
Ｍ、Ｍ１〜Ｍｎ    最大多重度
Ｓ      最大多重度
【図１】
2007171266.tif 000003
【図２】
2007171266.tif 000004
【図３】
2007171266.tif 000005
【図４】
2007171266.tif 000006
【図５】
2007171266.tif 000007
【図６】
2007171266.tif 000008
【図７】
2007171266.tif 000009
【図８】
2007171266.tif 000010
【図９】
2007171266.tif 000011
【図１０】
2007171266.tif 000012
【図１１】
2007171266.tif 000013
【図１２】
2007171266.tif 000014
【図１３】
2007171266.tif 000015
【図１４】
2007171266.tif 000016
【図１５】
2007171266.tif 000017
【図１６】
2007171266.tif 000018
【図１７】
2007171266.tif 000019
【図１８】
2007171266.tif 000020
【図１９】
2007171266.tif 000021
【図２０】
2007171266.tif 000022
【図２１】
2007171266.tif 000023
【図２２】
2007171266.tif 000024